(57)【特許請求の範囲】
【請求項１】
キーボードを有する本体部と、前記キーボードのキートップ面に対して平行な方向にスライド移動させることにより、前記キーボードのキートップ面を露出または遮蔽する蓋体部とからなる情報処理装置において、
摺動部材を摺動させることで前記キーボードのキートップを昇降する昇降機構部を有する昇降手段と、
前記蓋体部に固定された移動ピンと、前記本体部に設けられ前記摺動部材を摺動させる摺動機構部とで、前記蓋体部がスライド移動する力を前記昇降手段へ伝達する伝達手段とを備え、
前記伝達手段は、
前記蓋体部が前記キートップ面を遮蔽している状態から、前記キートップ面が露出した状態となる第１の開位置までスライド移動させると、前記移動ピンが前記摺動機構部に当接するまでは、そのスライド移動する力を前記昇降手段へ伝達せず、
前記第１の開位置からさらに開いた第２の開位置まで前記蓋体部がスライド移動する間は、前記移動ピンが前記摺動機構部を押し込んで移動することにより、そのスライド移動する力を前記昇降手段へ伝達して前記キートップを上昇させることを特徴とするポップアップキーボードを有する情報処理装置。
【請求項２】
前記摺動機構部は、
回動して移動可能に設けられた回動レバーと、この回動レバーの一方の腕杆の端部と前記摺動部材とを連係する連係ピンと、前記回動レバーを一方向へ回動するように常に付勢する付勢手段と、前記回動レバーの前記一方向への回動を規制する規制手段とからなり、
前記蓋体部を前記キートップ面を遮蔽している状態から、キートップ面が露出する状態となる第１の開位置までスライド移動させると、前記移動ピンが前記回動レバーの他方の腕杆に当接し、この状態で前記蓋体部を第１の開位置から前記第２の開位置までさらにスライド移動させると、前記移動ピンが他方の腕杆を押し込んで前記回動レバーを他方向へ回動させることにより、前記連係ピンを介して前記摺動部材を一方向に摺動させることでキートップを上昇させ、
前記蓋体部を第２の開位置から第１の開位置までスライド移動させると、前記移動ピンの移動に伴い、前記付勢手段の付勢力によって回動レバーが一方向へ回動することにより、前記連係ピンを介して前記摺動部材を他方向に摺動させることでキートップを降下させることを特徴とする請求項１に記載のポップアップキーボードを有する情報処理装置。
【請求項３】
前記摺動機構部は、前記摺動部材の端部から突出して設けられた係合レバーと、この係合レバーを他方向へ移動するように常に付勢する付勢手段と、前記係合レバーの前記他方向への移動を規制する規制手段とからなり、
前記蓋体部を前記第１の開位置までスライド移動させると、前記移動ピンが前記係合レバーに当接し、この状態で前記蓋体部を第１の開位置から前記第２の開位置までさらにスライド移動させると、前記移動ピンが前記係合レバーを押し込んで係合レバーを一方向へ移動させることにより、前記摺動部材を一方向に摺動させることでキートップを上昇させ、
前記蓋体部を第２の開位置から第１の開位置までスライド移動させると、前記移動ピンの移動に伴い、前記付勢手段の付勢力によって係合レバーが他方向へ移動することにより、前記摺動部材を他方向に摺動させることでキートップを降下させることを特徴とする請求項１に記載のポップアップキーボードを有する情報処理装置。
【請求項４】
前記伝達手段の移動ピンは磁着力を有しており、
前記摺動機構部は、回動可能に設けられた回動レバーと、この回動レバーの一方の腕杆の端部と前記摺動部材とを連係する連係ピンと、前記回動レバーの前記一方向への回動を規制する規制手段と、前記回動レバーの他方の腕杆に設けられた磁着力を有するピン受け部とからなり、
前記蓋体部を前記第１の開位置までスライド移動させると、前記移動ピンが前記回動レバーの他方の腕杆に設けられたピン受け部に磁着した状態で受け止められ、この状態で前記蓋体部を第１の開位置から前記第２の開位置までさらにスライド移動させると、前記移動ピンが他方の腕杆を押し込んで前記回動レバーを他方向へ回動させることにより、前記連係ピンを介して前記摺動部材を一方向に摺動させることでキートップを上昇させ、
前記蓋体部を第２の開位置から第１の開位置までスライド移動させると、前記移動ピンと前記ピン受け部とが磁着した状態で一体的に移動し、このピン受け部の移動に伴って前記回動レバーが一方向へ回動することにより、前記連係ピンを介して前記摺動部材を他方向に摺動させることでキートップを降下させることを特徴とする請求項１に記載のポップアップキーボードを有する情報処理装置。
【請求項５】
前記摺動機構部は、回動可能に設けられた回動レバーと、この回動レバーの一方の腕杆の端部と前記摺動部材とを連係する連係ピンと、前記回動レバーの前記一方向への回動を規制する規制手段と、前記回動レバーの他方の腕杆に設けられた前記移動ピンを強制嵌入する嵌入受け部とからなり、
前記蓋体部を前記第１の開位置までスライド移動させると、前記移動ピンが前記回動レバーの他方の腕杆に設けられた嵌入受け部に強制嵌入された状態で受け止められ、この状態で前記蓋体部を第１の開位置から前記第２の開位置までさらにスライド移動させると、前記移動ピンが他方の腕杆を押し込んで前記回動レバーを他方向へ回動させることにより、前記連係ピンを介して前記摺動部材を一方向に摺動させることでキートップを上昇させ、
前記蓋体部を第２の開位置から第１の開位置までスライド移動させると、前記移動ピンと前記嵌入受け部とが強制嵌入された状態で一体的に移動し、このピン受け部の移動に伴って前記回動レバーが一方向へ回動することにより、前記連係ピンを介して前記摺動部材を他方向に摺動させることでキートップを降下させることを特徴とする請求項１に記載のポップアップキーボードを有する情報処理装置。
【請求項６】
前記摺動機構部は、胴杆と両腕杆とが略Ｙ字状に形成されるとともに、その交差部を回動中心として回動可能に設けられた回動レバーと、この回動レバーの胴杆の端部と前記摺動部材とを連係する連係ピンとからなり、
前記蓋体部を前記第１の開位置までスライド移動させると、前記移動ピンが前記回動レバーの両腕杆の間に嵌まり込むとともに一方の腕杆に当接し、この状態で前記蓋体部を第１の開位置から第２の開位置までさらにスライド移動させると、前記移動ピンが一方の腕杆を押し下げて前記回動レバーを他方向へ略９０度回動させることにより、前記連係ピンを介して前記摺動部材を一方向に摺動させることでキートップを上昇させ、
前記蓋体部を第２の開位置から第１の開位置までスライド移動させると、前記移動ピンが前記回動レバーの他方の腕杆を押し上げて前記回動レバーを一方向へ略９０度回動させることにより、前記連係ピンを介して前記摺動部材を他方向に摺動させることでキートップを降下させることを特徴とする請求項１に記載のポップアップキーボードを有する情報処理装置。
【請求項７】
前記蓋体部が前記第２の開位置までスライド移動したとき、前記蓋体部をその位置で維持させるための維持手段を備えたことを特徴とする請求項２ないし請求項６のいずれか１項に記載のポップアップキーボードを有する情報処理装置。
【請求項８】
第２のキーボードが前記蓋体部の表面に設けられており、
前記第２のキーボードのキートップを上下に昇降させる第２の昇降手段と、この第２の昇降手段を操作するスイッチ部とを備えており、
このスイッチ部の操作に応じて前記第２のキーボードのキートップが昇降することを特徴とする請求項１ないし請求項７のいずれか１項に記載のポップアップキーボードを有する情報処理装置。
【請求項９】
前記蓋体部のスライド移動を前記第２の昇降手段へ伝達する第２の伝達手段をさらに備えており、
前記蓋体部のスライド移動に応じて前記第２のキーボードのキートップが昇降することを特徴とする請求項８に記載のポップアップキーボードを有する情報処理装置。
【請求項１０】
前記第２の伝達手段は、
前記蓋体部が前記キートップ面を遮蔽している状態から、キートップ面が露出する状態となる第１の開位置まで前記蓋体部がスライド移動する間は、そのスライド移動を前記第２の昇降手段へ伝達せず、
前記第１の開位置からさらに開いた第２の開位置まで前記蓋体部がスライド移動する間は、そのスライド移動を前記第２の昇降手段へ伝達して前記キートップを上昇させることを特徴とする請求項９に記載のポップアップキーボードを有する情報処理装置。
【請求項１１】
前記第２の昇降手段は、
第２の摺動部材を摺動させることで前記キートップを昇降する昇降機構部を備えており、  
前記第２の伝達手段は、前記本体部に固定された第２の移動ピンと、前記蓋体部に設けられ前記第２の摺動部材を摺動させる第２の摺動機構部とからなり、
前記第２の摺動機構部は、前記第２の摺動部材の端部から突出して設けられた第２の係合レバーと、この第２の係合レバーを一方向へ移動するように常に付勢する第２の付勢手段と、前記第２の係合レバーの前記一方向への移動を規制する第２の規制手段とからなり、
前記蓋体部を前記第１の開位置までスライド移動させると、前記移動ピンが前記第２の係合レバーに当接し、この状態で前記蓋体部を第１の開位置から前記第２の開位置までさらにスライド移動させると、前記第２の移動ピンが前記第２の係合レバーを押し込んで第２の係合レバーを一方向へ移動させることにより、前記第２の摺動部材を一方向に摺動させることでキートップを上昇させ、
前記蓋体部を第２の開位置から第１の開位置までスライド移動させると、前記第２の移動ピンの移動に伴い、前記第２の付勢手段の付勢力によって第２の係合レバーが他方向へ移動することにより、前記第２の摺動部材を他方向に摺動させることでキートップを降下させることを特徴とする請求項１０に記載のポップアップキーボードを有する情報処理装置。
【発明の詳細な説明】
【０００１】
【発明の属する技術分野】
本発明は、キーボードを有する本体部と、キーボードのキートップ面に対して平行な方向にスライド移動させることにより、キーボードのキートップ面を露出または遮蔽する蓋体部とからなる情報処理装置に係り、例えば携帯電話機やＰＤＡのような片手で持って操作する小型の携帯型情報処理装置に関する。
【０００２】
【従来の技術】
従来、スライドカバーを有する携帯電話装置として、例えば特開２００１−１１９４５６号公報に記載のものがある。この携帯電話装置は、キー操作部と受信部と送話部とを有する筐体と、この筐体のキー操作部を覆うスライドカバーとを備えており、キー操作部を操作しないときには、スライドカバーによってキー操作部を覆って保護するようになっている。
【０００３】
このような携帯型の情報処理装置では、小型化および薄型化が製品開発の大きな課題となっている。従って、キー操作部を覆い隠すスライドカバーは極力薄くする必要があり、スライドカバーとキートップとの間の隙間も極力無くすようにする必要がある。
【０００４】
一方、キーは、その操作性の面から一定のストローク距離を確保する必要があるため、通常は筐体の表面から若干突出した構造となっている。そのため、いくらスライドカバーを薄くしてもキーとの関係で限度がある。
【０００５】
そこで、このキー構造に工夫を凝らせて、さらなる薄型化を図った装置が提案されている（特開平８−５４９６４号公報（特許第２８５７３５３号公報））。
【０００６】
この装置はノート型パソコンに適した沈み込み式キーボード構造であって、蓋部を回動させることによりキートップ面を露出および遮蔽するとともに、蓋部の回動動作に連動してキートップ面を上下に昇降動作させるようになっている。つまり、蓋部を閉じているときにはキートップ面を降下させ、蓋部を開いたときにはキートップ面が上昇して、一定のキーストローク距離を確保できるようになっている。
【０００７】
従って、このような沈み込み式キーボードの構造を、スライド式の蓋体部を有する小型の携帯型情報処理装置にも適用することで、さらなる薄型化が可能となる。
【０００８】
【発明が解決しようとする課題】
しかしながら、上記の沈み込み式キーボード構造は、蓋部を回動させて開閉するノート型パソコンに適した構造となっており、スライド式の蓋体部を有するＰＤＡのような小型の携帯型情報処理装置にそのまま適用することができないといった問題があった。つまり、従来の沈み込み式キーボード構造は、蓋部の回動動作をキートップの昇降動作に変換するための工夫が成されているが、スライド式の蓋体部では、蓋体部のスライド移動動作をキートップの昇降動作に変換する必要があるため、当然にその変換部分の構造は異なるものとなる。また、スライド式の蓋体部を有する装置では、蓋体部を開いたとき、どのタイミングでキートップを上昇させるのかが難しく、キートップを上昇させるタイミングが早過ぎると、スライド中の蓋体部の裏面と、上昇してきたキートップ面とが接触してしまうといった問題が発生する。
【０００９】
本発明はかかる問題点を解決すべく創案されたもので、その目的は、キーボードを沈み込む構造にするとともに、蓋体部のスライド移動動作をキートップの昇降動作に変換する変換手段にも工夫を凝らせることによって、より一層の薄型化を可能にし、かつ、使用時には良好なキータッチの感触を得ることのできるポップアップキーボードを有する情報処理装置を提供することにある。
【００１０】
【課題を解決するための手段】
本発明のポップアップキーボードを有する情報処理装置は、キーボードを有する本体部と、前記キーボードのキートップ面に対して平行な方向にスライド移動させることにより、前記キーボードのキートップ面を露出または遮蔽する蓋体部とからなる情報処理装置において、前記キーボードのキートップを上下に昇降させる昇降手段と、前記蓋体部に固定された移動ピンと前記本体部に設けられ前記摺動部材を摺動させる摺動機構部とで前記蓋体部がスライド移動する力を前記昇降手段へ伝達する伝達手段とを備えており、前記蓋体部のスライド移動に応じて前記キーボードのキートップが昇降することを特徴とする。
【００１１】
このような特徴を有する本発明によれば、蓋体部を閉じているときには、キーボードのキートップを降下させておくことができるので、この状態で蓋体部の裏面を、降下しているキートップ面に接触するぐらいまで低くすることができる。これにより、全体として装置の薄型化が可能となる。
【００１２】
また、本発明のポップアップキーボードを有する情報処理装置によれば、前記伝達手段は、前記蓋体部が前記キートップ面を遮蔽している状態から、前記キートップ面が露出した状態となる第１の開位置までスライド移動させると、前記移動ピンが前記摺動機構部に当接するまでは、そのスライド移動する力を前記昇降手段へ伝達せず、前記第１の開位置からさらに開いた第２の開位置まで前記蓋体部がスライド移動する間は、前記移動ピンが前記摺動機構部を押し込んで移動することにより、そのスライド移動する力を前記昇降手段へ伝達して前記キートップを上昇させることを特徴とする。
【００１３】
このような特徴を有する本発明によれば、蓋体部を開いてキートップ面が完全に露出するまでは、キートップが上昇することがないので、蓋体部の開閉操作時にキートップ面が蓋体部の裏面に接触するといった不具合は発生しない。
【００１４】
また、本発明のポップアップキーボードを有する情報処理装置によれば、前記昇降手段は、前記摺動機構部は、回動して移動可能に設けられた回動レバーと、この回動レバーの一方の腕杆の端部と前記摺動部材とを連係する連係ピンと、前記回動レバーを一方向へ回動するように常に付勢する付勢手段と、前記回動レバーの前記一方向への回動を規制する規制手段とからなり、前記蓋体部を前記キートップ面を遮蔽している状態から、キートップ面が露出する状態となる第１の開位置までスライド移動させると、前記移動ピンが前記回動レバーの他方の腕杆に当接し、この状態で前記蓋体部を第１の開位置から前記第２の開位置までさらにスライド移動させると、前記移動ピンが他方の腕杆を押し込んで前記回動レバーを他方向へ回動させることにより、前記連係ピンを介して前記摺動部材を一方向に摺動させることでキートップを上昇させ、前記蓋体部を第２の開位置から第１の開位置までスライド移動させると、前記移動ピンの移動に伴い、前記付勢手段の付勢力によって回動レバーが一方向へ回動することにより、前記連係ピンを介して前記摺動部材を他方向に摺動させることでキートップを降下させることを特徴とする。
【００１５】
このような特徴を有する本発明によれば、伝達手段を、移動ピン、略Ｌ字状の回動レバー、連係ピン、付勢手段であるスプリング、および規制手段であるストッパといった簡単な構成で実現することができる。
【００１６】
また、本発明のポップアップキーボードを有する情報処理装置によれば、前記昇降手段は、摺動部材を摺動させることで前記キートップを昇降する昇降機構部を備えており、前記伝達手段は、前記蓋体部に固定された移動ピンと、前記本体部に設けられ前記摺動部材を摺動させる摺動機構部とからなり、前記摺動機構部は、前記摺動部材の端部から突出して設けられた係合レバーと、この係合レバーを他方向へ移動するように常に付勢する付勢手段と、前記係合レバーの前記他方向への移動を規制する規制手段とからなり、前記蓋体部を前記第１の開位置までスライド移動させると、前記移動ピンが前記係合レバーに当接し、この状態で前記蓋体部を第１の開位置から前記第２の開位置までさらにスライド移動させると、前記移動ピンが前記係合レバーを押し込んで係合レバーを一方向へ移動させることにより、前記摺動部材を一方向に摺動させることでキートップを上昇させ、前記蓋体部を第２の開位置から第１の開位置までスライド移動させると、前記移動ピンの移動に伴い、前記付勢手段の付勢力によって係合レバーが他方向へ移動することにより、前記摺動部材を他方向に摺動させることでキートップを降下させることを特徴とする。
【００１７】
このような特徴を有する本発明によれば、伝達手段を、移動ピン、係合レバー、付勢手段であるスプリング、および規制手段であるストッパといった簡単な構成で実現することができる。
【００１８】
また、本発明のポップアップキーボードを有する情報処理装置によれば、前記蓋体部が前記第２の開位置までスライド移動したとき、前記蓋体部をその第２の開位置で維持させるための維持手段を備えたことを特徴とする。
【００１９】
このような特徴を有する本発明によれば、蓋体部を完全に開いたとき、維持手段によってその位置が維持されるので、付勢手段であるスプリングの弾性力によって蓋体部が閉じる方向に動いてしまうといった不具合の発生を確実に防止することができる。
【００２０】
また、本発明のポップアップキーボードを有する情報処理装置によれば、前記昇降手段は、摺動部材を摺動させることで前記キートップを昇降する昇降機構部を備えており、前記伝達手段は、前記蓋体部に固定された磁着力を有する移動ピンと、前記本体部に設けられ前記摺動部材を摺動させる摺動機構部とからなり、前記摺動機構部は、回動可能に設けられた回動レバーと、この回動レバーの一方の腕杆の端部と前記摺動部材とを連係する連係ピンと、前記回動レバーの前記一方向への回動を規制する規制手段と、前記回動レバーの他方の腕杆に設けられた磁着力を有するピン受け部とからなり、前記蓋体部を前記第１の開位置までスライド移動させると、前記移動ピンが前記回動レバーの他方の腕杆に設けられたピン受け部に磁着した状態で受け止められ、この状態で前記蓋体部を第１の開位置から前記第２の開位置までさらにスライド移動させると、前記移動ピンが他方の腕杆を押し込んで前記回動レバーを他方向へ回動させることにより、前記連係ピンを介して前記摺動部材を一方向に摺動させることでキートップを上昇させ、前記蓋体部を第２の開位置から第１の開位置までスライド移動させると、前記移動ピンと前記ピン受け部とが磁着した状態で一体的に移動し、このピン受け部の移動に伴って前記回動レバーが一方向へ回動することにより、前記連係ピンを介して前記摺動部材を他方向に摺動させることでキートップを降下させることを特徴とする。
【００２１】
このような特徴を有する本発明によれば、伝達手段を、磁着力を有する移動ピン、回動レバー、連係ピンと、規制手段であるストッパ、および磁着力を有するピン受け部といった簡単な構成で実現することができる。また、付勢手段が無いことから、蓋体部を完全に開いた位置（第２の開位置）で維持させるための維持手段も省略することが可能である。
【００２２】
また、本発明のポップアップキーボードを有する情報処理装置によれば、前記昇降手段は、摺動部材を摺動させることで前記キートップを昇降する昇降機構部を備えており、前記伝達手段は、前記蓋体部に固定された移動ピンと、前記本体部に設けられ前記摺動部材を摺動させる摺動機構部とからなり、前記摺動機構部は、回動可能に設けられた回動レバーと、この回動レバーの一方の腕杆の端部と前記摺動部材とを連係する連係ピンと、前記回動レバーの前記一方向への回動を規制する規制手段と、前記回動レバーの他方の腕杆に設けられた前記移動ピンを強制嵌入する嵌入受け部とからなり、前記蓋体部を前記第１の開位置までスライド移動させると、前記移動ピンが前記回動レバーの他方の腕杆に設けられた嵌入受け部に強制嵌入された状態で受け止められ、この状態で前記蓋体部を第１の開位置から前記第２の開位置までさらにスライド移動させると、前記移動ピンが他方の腕杆を押し込んで前記回動レバーを他方向へ回動させることにより、前記連係ピンを介して前記摺動部材を一方向に摺動させることでキートップを上昇させ、前記蓋体部を第２の開位置から第１の開位置までスライド移動させると、前記移動ピンと前記嵌入受け部とが強制嵌入された状態で一体的に移動し、このピン受け部の移動に伴って前記回動レバーが一方向へ回動することにより、前記連係ピンを介して前記摺動部材を他方向に摺動させることでキートップを降下させることを特徴とする。
【００２３】
このような特徴を有する本発明によれば、伝達手段を、移動ピン、回動レバー、連係ピンと、規制手段であるストッパ、および移動ピンを強制嵌入する嵌入受け部といった簡単な構成で実現することができる。また、付勢手段が無いことから、蓋体部を完全に開いた位置（第２の開位置）で維持させるための維持手段も省略することが可能である。
【００２４】
また、本発明のポップアップキーボードを有する情報処理装置によれば、前記昇降手段は、摺動部材を摺動させることで前記キートップを昇降する昇降機構部を備えており、前記伝達手段は、前記蓋体部に固定された移動ピンと、前記本体部に設けられ前記摺動部材を摺動させる摺動機構部とからなり、前記摺動機構部は、胴杆と両腕杆とが略Ｙ字状に形成されるとともに、その交差部を回動中心として回動可能に設けられた回動レバーと、この回動レバーの胴杆の端部と前記摺動部材とを連係する連係ピンとからなり、前記蓋体部を前記第１の開位置までスライド移動させると、前記移動ピンが前記回動レバーの両腕杆の間に嵌まり込むとともに一方の腕杆に当接し、この状態で前記蓋体部を第１の開位置から第２の開位置までさらにスライド移動させると、前記移動ピンが一方の腕杆を押し下げて前記回動レバーを他方向へ略９０度回動させることにより、前記連係ピンを介して前記摺動部材を一方向に摺動させることでキートップを上昇させ、前記蓋体部を第２の開位置から第１の開位置までスライド移動させると、前記移動ピンが前記回動レバーの他方の腕杆を押し上げて前記回動レバーを一方向へ略９０度回動させることにより、前記連係ピンを介して前記摺動部材を他方向に摺動させることでキートップを降下させることを特徴とする。
【００２５】
このような特徴を有する本発明によれば、伝達手段を、移動ピン、略Ｙ字状の回動レバー、および連係ピンといった簡単な構成で実現することができる。また、付勢手段が無いことから、蓋体部を完全に開いた位置（第２の開位置）で維持させるための維持手段も省略することが可能である。
【００２６】
また、本発明のポップアップキーボードを有する情報処理装置によれば、第２のキーボードが前記蓋体部の表面に設けられており、前記第２のキーボードのキートップを上下に昇降させる第２の昇降手段と、この第２の昇降手段を操作するスイッチ部とを備えており、このスイッチ部の操作に応じて前記第２のキーボードのキートップが昇降することを特徴とする。
【００２７】
このような特徴を有する本発明によれば、蓋体部の表面に設けられたキーボードのキートップを昇降動作させることができる。従って、使用しないときにはスイッチ部を操作してキートップを降下させておき、使用するときにスイッチ部を操作してキートップを上昇させればよい。
【００２８】
また、本発明のポップアップキーボードを有する情報処理装置によれば、前記蓋体部のスライド移動を前記第２の昇降手段へ伝達する第２の伝達手段をさらに備えており、前記蓋体部のスライド移動に応じて前記第２のキーボードのキートップが昇降することを特徴とする。
【００２９】
このような特徴を有する本発明によれば、蓋体部を開くことにより、本体部側に設けられているキーボードのキートップと、蓋体部の表面に設けられている第２のキーボードのキートップとが連動して上昇し、同時に使用可能状態となる。また、蓋体部を閉じたときには、両キーボードのキートップが連動して降下し、使用不可能な状態とすることができる。そのため、表面に露出している第２のキーボードの誤操作を防止することができる。また、蓋体部を閉じた状態でスイッチ部を操作することにより、蓋体部の第２のキーボードのキートップが上昇して使用可能状態とすることができる。
【００３０】
また、本発明のポップアップキーボードを有する情報処理装置によれば、前記第２の伝達手段は、前記蓋体部が前記キートップ面を遮蔽している状態から、キートップ面が露出する状態となる第１の開位置まで前記蓋体部がスライド移動する間は、そのスライド移動を前記昇降手段へ伝達せず、前記第１の開位置からさらに開いた第２の開位置まで前記蓋体部がスライド移動する間は、そのスライド移動を前記第２の昇降手段へ伝達して前記キートップを上昇させることを特徴とする。
【００３１】
このような特徴を有する本発明によれば、蓋体部を開くことにより、本体部側に設けられているキーボードのキートップと、蓋体部の表面に設けられている第２のキーボードのキートップとが完全に連動して上昇し、同時に使用可能状態とすることができる。
【００３２】
また、本発明のポップアップキーボードを有する情報処理装置によれば、前記第２の昇降手段は、第２の摺動部材を摺動させることで前記キートップを昇降する昇降機構部を備えており、前記第２の伝達手段は、前記本体部に固定された第２の移動ピンと、前記蓋体部に設けられ前記第２の摺動部材を摺動させる第２の摺動機構部とからなり、前記第２の摺動機構部は、前記第２の摺動部材の端部から突出して設けられた第２の係合レバーと、この第２の係合レバーを一方向へ移動するように常に付勢する第２の付勢手段と、前記係合レバーの前記一方向への移動を規制する第２の規制手段とからなり、前記蓋体部を前記第１の開位置までスライド移動させると、前記第２の移動ピンが前記第２の係合レバーに当接し、この状態で前記蓋体部を第１の開位置から前記第２の開位置までさらにスライド移動させると、前記第２の移動ピンが前記第２の係合レバーを押し込んで第２の係合レバーを一方向へ移動させることにより、前記第２の摺動部材を一方向に摺動させることでキートップを上昇させ、前記蓋体部を第２の開位置から第１の開位置までスライド移動させると、前記第２の移動ピンの移動に伴い、前記第２の付勢手段の付勢力によって第２の係合レバーが他方向へ移動することにより、前記第２の摺動部材を他方向に摺動させることでキートップを降下させることを特徴とする。
【００３３】
このような特徴を有する本発明によれば、第２の伝達手段を、第２の移動ピン、第２の係合レバー、第２の付勢手段、および第２の規制手段といった簡単な構成で実現することができる。
【００３４】
【発明の実施の形態】
以下、本発明の実施の形態について、図面を参照して説明する。
【００３５】
［実施の形態１］
図１ないし図３は、本実施の形態１の情報処理装置の外観図であり、図１は蓋体部を閉じた状態、図２は蓋体部を開いた状態、図３は蓋体部を本体部から取り外した状態を示している。
【００３６】
すなわち、本実施の形態１の情報処理装置は、キーボード２を有する本体部１と、キーボード２のキートップ面に対して平行な方向にスライド移動させることにより、キーボード２のキートップ面を露出または遮蔽する蓋体部３０とからなる。
【００３７】
本体部１は、その上部が表示部３となっており、その下部にキーボード２を設けるためのキー本体部４が設けられている。蓋体部３０は、このキー本体部４の全体を収納するように設けられている。
【００３８】
すなわち、キー本体部４には、図２および図３に示すように、左右の外側面５，６に、長手方向に沿って溝部７，８がそれぞれ形成されている。一方、蓋体部３０は、キー本体部４の全体を内部に収納できるように、横断面長方形状の中空体に形成されており、その左右の内側面３１，３２に、長手方向に沿ってレール部材３３，３４がそれぞれ突出形成されている。
【００３９】
このレール部材３３，３４が、キー本体部４の溝部７，８に嵌まり込むことにより、蓋体部３０がキー本体部４に対して長手方向にスライド移動可能となっている。
【００４０】
ただし、図３では、蓋体部３０をキー本体部４から完全に外した状態で示しているが、実際には、蓋体部３０がキー本体部４から完全に外れることはなく、キーボード２の全体が完全に露出した状態となった時点で、蓋体部３０がそれ以上は開かないようにストッパが設けられている。
【００４１】
図４は、蓋体部３０とキー本体部４との間に設けられたストッパの構造および、蓋体部３０を完全に開いた状態でロックするためのロック機構部（維持手段）の構造の一例を示している。
【００４２】
蓋体部３０の左右の内側面３１，３２には、その開口側端部に係止ピン３５ａ，３５ｂが設けられており、これに対応するキー本体部４の左右の外側面５，６（図４では図示を省略している）には、その先端部にストッパ９ａ，９ｂが設けられている。これにより、蓋体部３０が完全に開いた状態（後述する第２の開位置まで開いた状態）となったとき、係止ピン３５ａ，３５ｂがストッパ９ａ，９ｂに当接して、蓋体部３０がそれ以上開かないように規制するようになっている。
【００４３】
また、蓋体部３０の左右の内側面３１，３２には、その開口側端部の近傍に、横断面Ｖ字状の一対の凹部３６ａ，３６ｂがそれぞれ設けられており、さらに一方の内側面３２には、その内奥部に第２の凹部３７が設けられている。つまり、第２の凹部３７は、蓋体部３０のいずれか一方の内側面にのみ設けられている。
【００４４】
一方、キー本体部４の左右の外側面５，６には、ストッパ９ａ，９ｂの近傍に、ロックバネ１０ａ，１０ｂが設けられている。このロックバネ１０ａ，１０ｂは１本の棒状のバネ体を屈曲することによって所望の形状に形成されており、ロックピン１１によってキー本体部４に回動可能に取り付けられている。
【００４５】
そして、このロックピン１１を中心として一方の側に延設されたバネ片１０ａ１，１０ｂ１がストッパ９ａ，９ｂに当接してロックバネ１０ａ，１０ｂに付勢力を与える支持点となっており、他方に延設されたバネ片１０ａ２，１０ｂ２が、蓋体部３０の内側面３１，３２に設けられた凹部３６ａ，３６ｂ，３７に嵌まり込んで蓋体部３０の移動を規制するロック片となっている。そのため、このロック片（バネ片）１０ａ２，１０ｂ２には、外方に略Ｖ字状に突出した係合凸部１０ａ２１，１０ｂ２１が形成されている。
【００４６】
すなわち、蓋体部３０が完全に開いた状態（後述する第２の開位置まで開いた状態）となったとき、上記したように、係止ピン３５ａ，３５ｂがストッパ９ａ，９ｂに当接して、蓋体部３０がそれ以上開かないように規制するとともに、ロックバネ１０ａ，１０ｂの係合凸部１０ａ２１，１０ｂ２１が、蓋体部３０の凹部３６ａ，３６ｂに嵌まり込んで、蓋体部３０をその位置にロックする。図４はこのときのロック状態を示している。
【００４７】
一方、このように蓋体部３０を完全に開いた状態から強制的に押し込んで、蓋体部３０を完全に閉じた状態（図１に示す状態）とすると、一方のロックバネ１０ｂの係合凸部１０ｂ２１が、蓋体部３０の一方の内側面３２に設けられた第２の凹部３７に嵌まり込んで、蓋体部３０を閉じた位置でロックする。このときのロックは、蓋体部３０が不測に開かないようにするためのロックであり、ユーザが蓋体部３０を持って開く方向にスライドさせるときには、わずかの力でこのロック状態が外れるようにしておく必要があるため、片方のみのロックとなっている。
【００４８】
つまり、蓋体部３０を完全に開いている状態では比較的強いロックがかかり、蓋体部３０を閉じている状態では比較的弱いロックがかかるように（開けやすいように）なっている。
【００４９】
次に、キー本体部４に設けられているキーボード２のキー構造について、図５を参照して説明する。図５は、キー構造を模式的に示す正面図であり、同図（ａ）は蓋体部３０をスライド移動させて開くことによりキーが上昇した（立ち上がった）状態、同図（ｂ）は蓋体部３０をスライド移動させて閉じることによりキーが降下した（沈み込んだ）状態を示している。つまり、図５はキートップの昇降機構部（昇降手段）の構造を示している。
【００５０】
キー本体部４には、図５に示すように、キーボード４の土台となるキーベース２１が固定されており、その上に中間シート２２が重畳されている。また、これらの上には、例えば樹脂成形されたキートップ２３が、第１のアーム２４と第２のアーム２５とを組み合わせたリンク部材Ｌにより下方より支持されつつ、キーとして配置されている。これによりキーボード２が形成されている。
【００５１】
第１のアーム２４と第２のアーム２５は、正面から見て略Ｘ字状に交差連結されてリンク部材Ｌを構成し、中心軸Ｘ周りに互いに回動可能となっている。そして、第１のアーム２４の下端に設けられた軸２４ａは、キーベース２１の上面より突設された軸受２１ａと嵌合し、これにより第１のアーム２４が回動可能に支持されている。また、第１のアーム２４の上端に設けられた軸２４ｂは、キートップ２３の下面より突設された、長孔を有するスライド軸受２３ａと嵌合し、これにより第１のアーム２４がキートップ２３に対して回動可能並びに長孔で規制される所定の範囲だけスライド可能に支持されている。
【００５２】
一方、第２のアーム２５の下端に設けられた軸２５ａは、キーベース２１の上面より突設されたスライド軸受２１ｂと嵌合し、これにより第２のアーム２５が回動可能に支持されている。また、第２のアーム２５の上端に設けられた軸２５ｂは、キートップ２３の下面より突設された軸受２３ｂと嵌合し、これにより第２のアーム２５がキートップ２３に対して回動可能に支持されている。
【００５３】
また、第１のアーム２４の下部からは、正面から見て中央寄り斜め下方に板バネ状の押圧部２４ｃが延びている。同図（ａ）に示す状態において、この押圧部２４ｃ直下の中間シート２２には、いわゆるメンブレンスイッチ（図示省略）が設けられている。そして、キートップ２３が押し下げられたときに、押圧部２４ｃの先端が中間シート２２を押圧し、メンブレンスイッチがＯＮとなる仕組みとなっている。
【００５４】
ここで、同図（ａ）に示す状態から、中間シート２２を矢符Ｂで示す方向にスライドさせると、同図（ｂ）に示すように、中間シート２２に開けられた孔２２ａが押圧部２４ｃ直下に位置し、ここへ押圧部２４ｃが嵌まり込む。このとき、リンク部材Ｌが折り畳まれ、キートップ２３が沈み込むことになる。
【００５５】
またこのとき、メンブレンスイッチは押圧部２４ｃ直下から離脱しているため、キートップ２３が沈み込んでいても、ＯＮになることはない。
【００５６】
これとは逆に、同図（ｂ）に示す状態から、中間シート２２を矢符Ａで示す方向にスライドさせると、同図（ａ）に示すように、中間シート２２に開けられた孔２２ａが押圧部２４ｃから離脱し、押圧部２４ｃが中間シート２２に乗り上げる。このとき、リンク部材Ｌが開かれ、キートップ２３が立ち上がることになる。すなわち、本実施の形態１の中間シート２２が、請求項１〜６に記載の摺動部材および請求項１１に記載の第２の摺動部材に相当している。なお、作図の都合上、同図では、孔２２ａの移動距離を実際より大きく描いている。
【００５７】
このようなキー構造において、蓋体部３０の内部の天面４０の高さは、図９および図１０に示すように、このキートップ２３が沈み込んだ図５（ｂ）に示す状態のとき、そのキートップ面２３ａとの間にほとんど隙間が無いように設計されている。逆に言えば、蓋体部３０の内部の天面４０の高さは、キートップ２３が立ち上がった図５（ａ）に示す状態のときには、キートップ２３に接触する高さとなっている。そのため、蓋体部３０を閉じてキー本体部４を収納するときには、キートップ２３を沈み込んだ状態とし、蓋体部３０を開いてキートップ２３を露出させたときにキートップ２３が立ち上がるように、蓋体部３０の開閉動作とキートップの昇降動作とを連係させる必要がある。
【００５８】
次に、蓋体部３０のスライド移動（開閉動作）を、上記構成のキー構造の中間シート２２の摺動動作（キートップの昇降動作）に変換するための伝達手段について、図６ないし図１１を参照して説明する。ただし、図６ないし図８は、情報処理装置の平面図であるが、主として伝達手段の構造が分かるように内部を透視した状態で図示している。また、図９は図６に示す情報処理装置の要部を断面で示す概略側面図、図１０は図７に示す情報処理装置の要部を断面で示す概略側面図、図１１は伝達手段部分の拡大図である。
【００５９】
本実施の形態１の伝達手段は、蓋体部３０の内部底面３８（図９および図１０参照）に固定され、上方に突出して設けられた移動ピン３９と、本体部１側に設けられた中間シート２２を摺動（スライド移動）させる摺動機構部とからなる。
【００６０】
具体的には、この摺動機構部は、略Ｌ字状に屈曲形成された回動レバー４１と、この回動レバー４１の一方の腕杆４１ａの端部と中間シート２２とを連係する連係ピン４２と、回動レバー４１を一方向（図中の符号Ｂで示す方向）へ回動するように常に付勢する付勢手段であるスプリングバネ４３と、回動レバー４１の一方向（Ｂ方向）への回動を規制する規制手段であるストッパ４４とからなる。
【００６１】
回動レバー４１は、屈曲部を支持ピン４５にて回動可能に支持することにより、この支持ピン４５を中心として回動可能に設けられている。
【００６２】
また、回動レバー４１の一方の腕杆４１ａの端部には、図１１に示すように、連係ピン４２が固定されている。一方、中間シート２２には、その中間シート２２のスライド移動方向（Ａ方向およびＢ方向）に対して直交する方向（図中、Ｃ方向）に突出したスライドレバー２２ｂが設けられており、このスライドレバー２２ｂに、Ｃ方向に沿った長孔２２ｂ１が形成されている。連係ピン４２は、この長孔２２ｂ１に嵌合されている。
【００６３】
また、キー本体部４の底面４ａ（図９および図１０参照）には、蓋体部３０に設けられた移動ピン３９を内部に挿通した状態で、Ｃ方向およびＤ方向にスライド移動可能とするために、移動ピン３９を挿通する長孔４ａ１が形成されている。
【００６４】
また、蓋体部３０側に設けられた移動ピン３９と、キー本体部４側に設けられた回動レバー４１の他方の腕杆４１ｂとの位置関係については、蓋体部３０を図中Ｃ方向にスライド移動させて蓋体部３０を開いたとき、移動ピン３９が、回動レバー４１の他方の腕杆４１ｂに当接するように配置されている。
【００６５】
また、移動ピン３９と他方の腕杆４１ｂとの距離関係については、次のようになっている。
【００６６】
すなわち、図７は、蓋体部３０をＣ方向にスライド移動させて、キーボード２のキートップ２３が露出するまで開いた状態（第１の開位置）を示しており、この状態で移動ピン３９が回動レバー４１の他方の腕杆４１ｂに当接するようになっている。この第１の開位置は、蓋体部３０が完全に開いた状態（図８に示す状態）を第２の開位置とすると、その一歩手前の状態である。
【００６７】
次に、上記構成の伝達手段によって、蓋体部３０の開閉動作（スライド動作）が、中間シート２２のスライド動作に変換される様子を具体的に説明する。
【００６８】
蓋体部３０を完全に閉じている状態（図６および図９に示す状態）から、蓋体部３０を図中Ｃ方向にスライド移動させ、キーボード２のキートップ２３が露出する第１の開位置まで移動（図７および図１０に示す状態）させると、移動ピン３９が回動レバー４１の他方の腕杆４１ｂに当接する。すなわち、蓋体部３０が完全に閉じている状態から第１の開位置まで開く方向にスライド移動させても、回動レバー４１は回動せず、これに連係されている中間シート２２もスライドしないので、キートップ２３は図５（ｂ）に示す沈み込んだ状態となっている。
【００６９】
そして、蓋体部３０を第１の開位置から第２の開位置までさらにＣ方向にスライド移動させると、図８に示すように、移動ピン３９が他方の腕杆４１ｂを押し込んで、回動レバー４１をＡ方向へ回動させることにより、連係ピン４２を介して中間シート２２がＡ方向にスライドする。その結果、キートップ２３は、図５（ａ）に示すように立ち上がり、キーとしての使用が可能となる。なお、図５中に示したＡ方向およびＢ方向と、図６ないし図１１に示したＡ方向およびＢ方向とは、同じ方向を示している。
【００７０】
このとき、図４に示したように、係止ピン３５ａ，３５ｂがストッパ９ａ，９ｂに当接して、蓋体部３０がそれ以上開かないように規制するとともに、ロックバネ１０ａ，１０ｂの係合凸部１０ａ２１，１０ｂ２１が、蓋体部３０の凹部３６ａ，３６ｂに嵌まり込んで、蓋体部３０をその位置にロックする。
【００７１】
一方、蓋体部３０を、図８に示す第２の開位置から図７に示す第１の開位置まで矢符Ｄ方向にスライド移動させると、移動ピン３９のＤ方向への移動に伴い、スプリングバネ４３の付勢力（収縮力）によって回動レバー４１がＢ方向へ回動復帰し、図７に示す状態となる。これにより、連係ピン４２を介して中間シート２２が同じくＢ方向にスライドする。その結果、キートップ２３は、図５（ｂ）に示すように沈み込む。
【００７２】
これにより、キートップ２３は、蓋体部３０の内部の天面４０に当たらない高さとなるので、その後、蓋体部３０を第１の開位置からさらにＤ方向にスライド移動させ、蓋体部３０を完全に閉じる。すなわち、蓋体部３０内にキー本体部４を完全に収納する。
【００７３】
このとき、一方のロックバネ１０ｂの係合凸部１０ｂ２１が、蓋体部３０の一方の内側面３２に設けられた凹部３７に嵌まり込んで、蓋体部３０を閉じた位置でロックする。このときのロックは、蓋体部３０が不測に開かないようにするためのロックであり、ユーザが蓋体部３０を持って開く方向にスライドさせるときには、わずかの力でこのロック状態が外れるようになっている。
【００７４】
［実施の形態２］
図１２ないし図１４は、本実施の形態２の情報処理装置の平面図であり、図１２は蓋体部を閉じた状態、図１３は蓋体部を第１の開位置まで開いた状態、図１４は蓋体部を第２の開位置まで開いた状態を示しているが、いずれも主として伝達手段の構造が分かるように内部を透視した状態で図示している。また、図１５は図１２に示す情報処理装置の要部を断面で示す概略側面図、図１６は図１４に示す情報処理装置の要部を断面で示す概略側面図である。
【００７５】
本実施の形態２の情報処理装置は、基本的に上記実施の形態１の情報処理装置と全く同じであり、蓋体部３０のスライド移動（開閉動作）を、中間シート２２の摺動動作（キートップの昇降動作）に変換するための伝達手段の構成が違っている。従って、ここでは相違している部分についてのみ説明を行う。
【００７６】
本実施の形態２の伝達手段は、蓋体部３０の内部底面３８に固定され、上方に突出して設けられた移動ピン４９と、本体部１側に設けられた中間シート２２を摺動（スライド）させる摺動機構部とからなる。
【００７７】
具体的には、この摺動機構部は、中間シート２２の端部から突出して設けられた係合レバー５１と、この係合レバー５１を矢符Ｂ方向に付勢する付勢手段であるスプリングバネ５２と、係合レバー５１の矢符Ｂ方向への移動を規制する規制手段であるストッパ５３とからなる。
【００７８】
ここで、図１２ないし図１６に示したＡ方向およびＢ方向と、図５中に示したＡ方向およびＢ方向とは、同じ方向を示している。つまり、係合レバー５１は、中間シート２２がスライド移動するＡ方向およびＢ方向に対して直交する方向に突出形成されている。
【００７９】
また、キー本体部４の底面４ａには、蓋体部３０に設けられた移動ピン４９を内部に挿通した状態で、Ａ方向およびＢ方向にスライド移動可能とするために、移動ピン４９を挿通する長孔４ａ１が形成されている。
【００８０】
また、蓋体部３０側に設けられた移動ピン４９と、キー本体部４側に設けられた係合レバー５１との位置関係については、蓋体部３０を図中Ａ方向にスライド移動させて蓋体部３０を開いたとき、移動ピン４９が、係合レバー５１に当接するように配置されている。
【００８１】
また、移動ピン４９と係合レバー５１との距離関係については、次のようになっている。
【００８２】
すなわち、図１３は、蓋体部３０をＡ方向にスライド移動させて、キーボード２のキートップ２３が露出するまで開いた状態（第１の開位置）を示しており、この状態で移動ピン４９が係合レバー５１に当接するようになっている。この第１の開位置は、蓋体部３０が完全に開いた状態（図１４に示す状態）を第２の開位置とすると、その一歩手前の状態である。
【００８３】
次に、上記構成の伝達手段によって、蓋体部３０の開閉動作（スライド動作）が、中間シート２２のスライド動作に変換される様子を具体的に説明する。
【００８４】
蓋体部３０を完全に閉じている状態（図１２および図１５に示す状態）から、蓋体部３０を図中Ａ方向にスライド移動させ、キーボード２のキートップ２３が露出する第１の開位置まで移動（図１３に示す状態）させると、移動ピン４９が係合レバー５１に当接する。すなわち、蓋体部３０が完全に閉じている状態から第１の開位置まで開く方向にスライド移動させても、係合レバー５１はスライドせず、これに連結されている中間シート２２もスライドしないので、キートップ２３は図５（ｂ）に示す沈み込んだ状態となっている。
【００８５】
そして、蓋体部３０を第１の開位置から第２の開位置までさらにＡ方向にスライド移動させると、図１４および図１６に示すように、移動ピン４９が係合レバー５１をＡ方向に押し込んでスライドさせることにより、中間シート２２がＡ方向にスライドする。その結果、キートップ２３は、図５（ａ）に示すように立ち上がり、キーとしての使用が可能となる。
【００８６】
このとき、図４に示したように、係止ピン３５ａ，３５ｂがストッパ９ａ，９ｂに当接して、蓋体部３０がそれ以上開かないように規制するとともに、ロックバネ１０ａ，１０ｂの係合凸部１０ａ２１，１０ｂ２１が、蓋体部３０の凹部３６ａ，３６ｂに嵌まり込んで、蓋体部３０をその位置にロックする。
【００８７】
一方、蓋体部３０を、図１４に示す第２の開位置から図１３に示す第１の開位置までＢ方向にスライド移動させると、移動ピン４９のＢ方向への移動に伴い、スプリングバネ５２の付勢力（収縮力）によって係合レバー５１がストッパ５３に当接するまでＢ方向へスライド移動し、中間シート２２も同じくＢ方向にスライド移動する。その結果、キートップ２３は、図５（ｂ）に示すように沈み込む。
【００８８】
これにより、キートップ２３は、蓋体部３０の内部の天面４０に当たらない高さとなるので、その後、蓋体部３０を第１の開位置からさらにＢ方向にスライド移動させ、蓋体部３０を完全に閉じる。すなわち、蓋体部３０内にキー本体部４を完全に収納する。
【００８９】
このとき、一方のロックバネ１０ｂの係合凸部１０ｂ２１が、蓋体部３０の一方の内側面３２に設けられた凹部３７に嵌まり込んで、蓋体部３０を閉じた位置でロックする。このときのロックは、蓋体部３０が不測に開かないようにするためのロックであり、ユーザが蓋体部３０を持って開く方向にスライドさせるときには、わずかの力でこのロック状態が外れるようになっている。
【００９０】
［実施の形態３］
図１７ないし図１９は、本実施の形態３の情報処理装置の特徴部分である伝達手段の構成を示している。その他の構成は、上記実施の形態１と全く同様であるので、ここでは図示を省略する。ただし、図１７ないし図１９では、蓋体部３０を開く方向がＣ方向、閉じる方向がＤ方向となっている。また、図１７ないし図１９に示したＡ方向およびＢ方向と、図５中に示したＡ方向およびＢ方向とは、同じ方向を示している。
【００９１】
本実施の形態３の伝達手段は、蓋体部３０の内部底面に固定され、磁着力を有する移動ピン５９と、本体部１側に設けられた中間シート２２を摺動（スライド移動）させる摺動機構部とからなる。
【００９２】
具体的には、この摺動機構部は、略Ｌ字状に屈曲形成された回動レバー６１と、この回動レバー６１の一方の腕杆６１ａの端部と中間シート２２とを連係する連係ピン６２と、回動レバー６１の一方向（図中の符号Ｂで示す方向）への回動を規制する規制手段であるストッパ６４と、回動レバー６１の他方の腕杆６１ｂに支持ピン６７にて回動可能に取り付けられた磁着力を有するピン受け部６６とからなる。
【００９３】
回動レバー６１は、屈曲部を支持ピン６５にて回動可能に支持することにより、この支持ピン６５を中心として回動可能に設けられている。
【００９４】
また、回動レバー６１の一方の腕杆６１ａの端部には、図１７に示すように、連係ピン６２が固定されている。一方、中間シート２２には、その中間シート２２のスライド移動方向（Ａ方向およびＢ方向）に対して直交する方向（図中、Ｃ方向）に突出したスライドレバー２２ｂが設けられており、このスライドレバー２２ｂに、Ｃ方向に沿った長孔２２ｂ１が形成されている。連係ピン６２は、この長孔２２ｂ１に嵌合されている。
【００９５】
また、図示は省略しているが、キー本体部４の底面には、蓋体部３０に設けられた移動ピン５９を内部に挿通した状態で、Ｃ方向およびＤ方向にスライド移動可能とするために、移動ピン５９を挿通する長孔が形成されている。
【００９６】
また、蓋体部３０側に設けられた移動ピン５９と、キー本体部４側に設けられた回動レバー６１の他方の腕杆６１ｂとの位置関係については、蓋体部３０を図中Ｃ方向にスライド移動させて蓋体部３０を開いたとき、移動ピン５９が、回動レバー６１の他方の腕杆６１ｂに当接するように配置されている。
【００９７】
また、移動ピン５９と他方の腕杆６１ｂとの距離関係については、次のようになっている。
【００９８】
すなわち、図１８は、蓋体部３０をＣ方向にスライド移動させて、キーボード２のキートップ２３が露出するまで開いた状態（第１の開位置）のときの移動ピン５９とピン受け部６６との位置関係を示しており、この状態で移動ピン５９が回動レバー６１の他方の腕杆６１ｂに設けられたピン受け部６６に当接し、磁力によって互いに磁着するようになっている。この第１の開位置は、蓋体部３０が完全に開いた状態を第２の開位置とすると、その一歩手前の状態である。
【００９９】
次に、上記構成の伝達手段によって、蓋体部３０の開閉動作（スライド動作）が、中間シート２２のスライド動作に変換される様子を具体的に説明する。
【０１００】
蓋体部３０を完全に閉じている状態（伝達手段の位置関係では図１７に示す状態）から、蓋体部３０を図中Ｃ方向にスライド移動させ、キーボード２のキートップ２３が露出する第１の開位置まで移動（伝達手段の位置関係では図１８に示す状態）させると、移動ピン５９が回動レバー６１の他方の腕杆６１ｂに設けられたピン受け部６６に当接し、磁力によって互いに磁着する。すなわち、蓋体部３０が完全に閉じている状態から第１の開位置まで開く方向にスライド移動させても、回動レバー６１は回動せず、これに連係されている中間シート２２もスライドしないので、キートップ２３は図５（ｂ）に示す沈み込んだ状態となっている。
【０１０１】
そして、蓋体部３０を第１の開位置から第２の開位置までさらにＣ方向にスライド移動させると、図１９に示すように、移動ピン５９が他方の腕杆６１ｂを押し込んで、回動レバー６１をＡ方向へ回動させることにより、連係ピン６２を介して中間シート２２がＡ方向にスライドする。その結果、キートップ２３は、図５（ａ）に示すように立ち上がり、キーとしての使用が可能となる。
【０１０２】
このとき、図４に示したように、係止ピン３５ａ，３５ｂがストッパ９ａ，９ｂに当接して、蓋体部３０がそれ以上開かないように規制するとともに、ロックバネ１０ａ，１０ｂの係合凸部１０ａ２１，１０ｂ２１が、蓋体部３０の凹部３６ａ，３６ｂに嵌まり込んで、蓋体部３０をその位置にロックする。
【０１０３】
一方、蓋体部３０を、図１９に示す第２の開位置から図１８に示す第１の開位置まで矢符Ｄ方向にスライド移動させると、移動ピン５９のＤ方向への移動に伴い、磁着力によってピン受け部６６もＤ方向に引っ張られ、回動レバー６１がストッパ６４に当接するまでＢ方向へ回動復帰する。これにより、連係ピン６２を介して中間シート２２が同じくＢ方向にスライドする。その結果、キートップ２３は、図５（ｂ）に示すように沈み込む。
【０１０４】
これにより、キートップ２３は、蓋体部３０の内部の天面に当たらない高さとなるので、その後、蓋体部３０を第１の開位置からさらにＤ方向にスライド移動させ、移動ピン５９をピン受け部６６から強制的に引き離して、蓋体部３０を完全に閉じる。すなわち、蓋体部３０内にキー本体部４を完全に収納する。
【０１０５】
このとき、一方のロックバネ１０ｂの係合凸部１０ｂ２１が、蓋体部３０の一方の内側面３２に設けられた凹部３７に嵌まり込んで、蓋体部３０を閉じた位置でロックする。このときのロックは、蓋体部３０が不測に開かないようにするためのロックであり、ユーザが蓋体部３０を持って開く方向にスライドさせるときには、わずかの力でこのロック状態が外れるようになっている。
【０１０６】
［実施の形態４］
図２０ないし図２２は、本実施の形態４の情報処理装置の特徴部分である伝達手段の構成を示している。その他の構成は、上記実施の形態１と全く同様であるので、ここでは図示を省略する。ただし、図２０ないし図２２では、蓋体部３０を開く方向がＣ方向、閉じる方向がＤ方向となっている。また、図２０ないし図２２に示したＡ方向およびＢ方向と、図５中に示したＡ方向およびＢ方向とは、同じ方向を示している。
【０１０７】
本実施の形態４の伝達手段は、蓋体部３０の内部底面３８に固定され、上方に突出して設けられた円筒形状の移動ピン６９と、本体部１側に設けられた中間シート２２を摺動（スライド移動）させる摺動機構部とからなる。
【０１０８】
具体的には、この摺動機構部は、略Ｌ字状に屈曲形成された回動レバー７１と、この回動レバー７１の一方の腕杆７１ａの端部と中間シート２２とを連係する連係ピン７２と、回動レバー７１の一方向（図中の符号Ｂで示す方向）への回動を規制する規制手段であるストッパ７４と、回動レバー７１の他方の腕杆７１ｂに取り付けられた移動ピン６９を強制嵌入する嵌入受け部７６とからなる。
【０１０９】
回動レバー７１は、屈曲部を支持ピン７５にて回動可能に支持することにより、この支持ピン７５を中心として回動可能に設けられている。
【０１１０】
また、回動レバー７１の一方の腕杆７１ａの端部には、図２０に示すように、連係ピン７２が固定されている。一方、中間シート２２には、その中間シート２２のスライド移動方向（Ａ方向およびＢ方向）に対して直交する方向（図中、Ｃ方向）に突出したスライドレバー２２ｂが設けられており、このスライドレバー２２ｂに、Ｃ方向に沿った長孔２２ｂ１が形成されている。連係ピン７２は、この長孔２２ｂ１に嵌合されている。
【０１１１】
また、図示は省略しているが、キー本体部４の底面には、蓋体部３０に設けられた移動ピン６９を内部に挿通した状態で、Ｃ方向およびＤ方向にスライド移動可能とするために、移動ピン６９を挿通する長孔が形成されている。
【０１１２】
また、蓋体部３０側に設けられた移動ピン６９と、キー本体部４側に設けられた回動レバー７１の他方の腕杆７１ｂとの位置関係については、蓋体部３０を図中Ｃ方向にスライド移動させて蓋体部３０を開いたとき、移動ピン６９が、回動レバー７１の他方の腕杆７１ｂに設けられた嵌入受け部７６と当接するように配置されている。
【０１１３】
また、移動ピン６９と他方の腕杆７１ｂとの距離関係については、次のようになっている。
【０１１４】
すなわち、図２１は、蓋体部３０をＣ方向にスライド移動させて、キーボード２のキートップ２３が露出するまで開いた状態（第１の開位置）のときの移動ピン６９と嵌入受け部７６との位置関係を示しており、この状態で移動ピン６９が嵌入受け部７６に当接するようになっている。すなわち、嵌入受け部７６は、その全体が弾性変形可能な弾性体によって形成されており、移動ピン６９を受け入れる部分７６ａが、移動ピン６９の直径より幅狭に形成されている。従って、移動ピン６９は、この幅狭部分７６ａに当接することになる。この第１の開位置は、蓋体部３０が完全に開いた状態を第２の開位置とすると、その一歩手前の状態である。
【０１１５】
次に、上記構成の伝達手段によって、蓋体部３０の開閉動作（スライド動作）が、中間シート２２のスライド動作に変換される様子を具体的に説明する。
【０１１６】
蓋体部３０を完全に閉じている状態（伝達手段の位置関係では図２０に示す状態）から、蓋体部３０を図中Ｃ方向にスライド移動させ、キーボード２のキートップ２３が露出する第１の開位置まで移動（伝達手段の位置関係では図２１に示す状態）させると、移動ピン６９が回動レバー７１の他方の腕杆７１ｂに設けられた嵌入受け部７６の幅狭部分７６ａに当接する。すなわち、蓋体部３０が完全に閉じている状態から第１の開位置まで開く方向にスライド移動させても、回動レバー７１は回動せず、これに連係されている中間シート２２もスライドしないので、キートップ２３は図５（ｂ）に示す沈み込んだ状態となっている。
【０１１７】
そして、蓋体部３０を第１の開位置から第２の開位置までさらにＣ方向にスライド移動させると、移動ピン６９が幅狭部分７６ａに当接した状態で他方の腕杆７１ｂを押し込み、図２２に示すように、回動レバー７１をＡ方向へ回動させることにより、連係ピン７２を介して中間シート２２がＡ方向にスライドする。その結果、キートップ２３は、図５（ａ）に示すように立ち上がり、キーとしての使用が可能となる。なお、移動ピン６９は、最終的には幅狭部分７６ａを押し広げて嵌入受け部７６に強制嵌入される。
【０１１８】
このとき、図４に示したように、係止ピン３５ａ，３５ｂがストッパ９ａ，９ｂに当接して、蓋体部３０がそれ以上開かないように規制するとともに、ロックバネ１０ａ，１０ｂの係合凸部１０ａ２１，１０ｂ２１が、蓋体部３０の凹部３６ａ，３６ｂに嵌まり込んで、蓋体部３０をその位置にロックする。
【０１１９】
一方、蓋体部３０を、図２２に示す第２の開位置から図２１に示す第１の開位置まで矢符Ｄ方向にスライド移動させると、移動ピン７２のＤ方向への移動に伴い、強制嵌入している嵌入受け部７６もＤ方向に引っ張られ、回動レバー７１がストッパ７４に当接するまでＢ方向へ回動復帰する。これにより、連係ピン７２を介して中間シート２２が同じくＢ方向にスライドする。その結果、キートップ２３は、図５（ｂ）に示すように沈み込む。
【０１２０】
これにより、キートップ２３は、蓋体部３０の内部の天面に当たらない高さとなるので、その後、蓋体部３０を第１の開位置からさらにＤ方向にスライド移動させ、移動ピン６９を嵌入受け部７６から強制的に引き出して、蓋体部３０を完全に閉じる。すなわち、蓋体部３０内にキー本体部４を完全に収納する。
【０１２１】
このとき、一方のロックバネ１０ｂの係合凸部１０ｂ２１が、蓋体部３０の一方の内側面３２に設けられた凹部３７に嵌まり込んで、蓋体部３０を閉じた位置でロックする。このときのロックは、蓋体部３０が不測に開かないようにするためのロックであり、ユーザが蓋体部３０を持って開く方向にスライドさせるときには、わずかの力でこのロック状態が外れるようになっている。
【０１２２】
［実施の形態５］
図２３ないし図２５は、本実施の形態５の情報処理装置の特徴部分である伝達手段の構成を示している。その他の構成は、上記実施の形態２（図１２ないし図１４）と全く同様であるので、ここでは図示を省略する。ただし、図２３ないし図２５では、蓋体部３０を開く方向がＢ方向、閉じる方向がＡ方向となっており、上記実施の形態２と反対の符号の取り方となっている。これは、キートップ２３の昇降動作に係わる中間シート２２のスライド方向（図５参照）と一致させるためであり、本実施の形態５と上記実施の形態２とでは、この中間シート２２のスライド方向が全く逆となるように配置されているからである。すなわち、図２３ないし図２５に示したＡ方向およびＢ方向と、図５中に示したＡ方向およびＢ方向とは、同じ方向を示している。
【０１２３】
本実施の形態５の伝達手段は、蓋体部３０の内部底面に固定され、上方に突出して設けられた円筒形状の移動ピン７９と、本体部１側に設けられた中間シート２２を摺動（スライド移動）させる摺動機構部とからなる。
【０１２４】
具体的には、この摺動機構部は、胴杆８１ａと略９０度に開いた両腕杆８１ｂ，８１ｃとが略Ｙ字状に形成された回動レバー８１と、この回動レバー８１の胴杆８１ａの端部と中間シート２２とを連係する連係ピン８２とからなる。
【０１２５】
回動レバー８１は、交差部を支持ピン８５にて回動可能に支持することにより、この支持ピン８５を中心として回動可能に設けられている。
【０１２６】
また、回動レバー８１の胴杆８１ａの端部には、図２３に示すように、連係ピン８２が固定されている。一方、中間シート２２には、その中間シート２２のスライド移動方向（Ａ方向およびＢ方向）に対して直交する方向（図中、Ｃ方向）に突出したスライドレバー２２ｂが設けられており、このスライドレバー２２ｂに、Ｃ方向に沿った長孔２２ｂ１が形成されている。連係ピン８２は、この長孔２２ｂ１に嵌合されている。
【０１２７】
また、図示は省略しているが、キー本体部４の底面には、蓋体部３０に設けられた移動ピン７９を内部に挿通した状態で、Ａ方向およびＢ方向にスライド移動可能とするために、移動ピン７９を挿通する長孔が形成されている。
【０１２８】
また、蓋体部３０側に設けられた移動ピン７９と、キー本体部４側に設けられた回動レバー８１の一方の腕杆８１ｂとの位置関係については、蓋体部３０を図中Ｂ方向にスライド移動させて蓋体部３０を開いたとき、移動ピン７９が、回動レバー８１の一方の腕杆８１ｂに当接するように配置されている。
【０１２９】
また、移動ピン７９と一方の腕杆８１ｂとの距離関係については、次のようになっている。
【０１３０】
すなわち、図２４は、蓋体部３０をＢ方向（開く方向）にスライド移動させて、キーボード２のキートップ２３が露出するまで開いた状態（第１の開位置）のときの移動ピン７９と回動レバー８１の一方の腕杆８１ｂとの位置関係を示しており、この状態で移動ピン７９が腕杆８１ｂに当接するようになっている。この第１の開位置は、蓋体部３０が完全に開いた状態を第２の開位置とすると、その一歩手前の状態である。
【０１３１】
次に、上記構成の伝達手段によって、蓋体部３０の開閉動作（スライド動作）が、中間シート２２のスライド動作に変換される様子を具体的に説明する。
【０１３２】
蓋体部３０を完全に閉じている状態（伝達手段の位置関係では図２３に示す状態）から、蓋体部３０を図中Ｂ方向にスライド移動させ、キーボード２のキートップ２３が露出する第１の開位置まで移動（伝達手段の位置関係では図２４に示す状態）させると、移動ピン７９が回動レバー８１の一方の腕杆８１ｂに当接する。すなわち、蓋体部３０が完全に閉じている状態から第１の開位置まで開く方向にスライド移動させても、回動レバー８１は回動せず、これに連係されている中間シート２２もスライドしないので、キートップ２３は図５（ｂ）に示す沈み込んだ状態となっている。
【０１３３】
そして、蓋体部３０を第１の開位置から第２の開位置までさらにＢ方向にスライド移動させると、図２５に示すように、移動ピン７９が一方の腕杆８１ｂをＢ方向へ押し込んで、回動レバー８１が略９０度正回転（図中、Ｒ方向）することにより、連係ピン８２を介して中間シート２２がＡ方向にスライドする。その結果、キートップ２３は、図５（ａ）に示すように立ち上がり、キーとしての使用が可能となる。
【０１３４】
このとき、図４に示したように、係止ピン３５ａ，３５ｂがストッパ９ａ，９ｂに当接して、蓋体部３０がそれ以上開かないように規制するとともに、ロックバネ１０ａ，１０ｂの係合凸部１０ａ２１，１０ｂ２１が、蓋体部３０の凹部３６ａ，３６ｂに嵌まり込んで、蓋体部３０をその位置にロックする。
【０１３５】
一方、蓋体部３０を、図２５に示す第２の開位置から図２４に示す第１の開位置までＡ方向にスライド移動させると、移動ピン８２のＡ方向への移動に伴い、移動ピン８２が回動レバー８１の他方の腕杆８１ｃをＡ方向へ押し上げて、回動レバー８１が略９０度逆回転（Ｒ方向と逆の方向）することにより、連係ピン８２を介して中間シート２２がＢ方向にスライドする。その結果、キートップ２３は、図５（ｂ）に示すように沈み込む。
【０１３６】
これにより、キートップ２３は、蓋体部３０の内部の天面４０に当たらない高さとなるので、その後、蓋体部３０を第１の開位置からさらにＡ方向にスライド移動させて、蓋体部３０を完全に閉じる。すなわち、蓋体部３０内にキー本体部４を完全に収納する。
【０１３７】
このとき、一方のロックバネ１０ｂの係合凸部１０ｂ２１が、蓋体部３０の一方の内側面３２に設けられた凹部３７に嵌まり込んで、蓋体部３０を閉じた位置でロックする。このときのロックは、蓋体部３０が不測に開かないようにするためのロックであり、ユーザが蓋体部３０を持って開く方向にスライドさせるときには、わずかの力でこのロック状態が外れるようになっている。
【０１３８】
上記各実施の形態１〜５では、蓋体部３０はあくまで蓋として機能するものであったが、次の実施の形態６では、この蓋体部３０の表面にも第２のキーボードを配置し、かつ、この第２のキーボードもポップアップするように構成したものである。
【０１３９】
［実施の形態６］
図２６ないし図２８は、本実施の形態６の情報処理装置の平面図であり、図２６は蓋体部を閉じた状態、図２７は蓋体部を第１の開位置まで開いた状態、図２８は蓋体部を第２の開位置まで開いた状態を示しているが、いずれも主として伝達手段の構造が分かるように内部を透視した状態で図示している。
【０１４０】
本実施の形態６の情報処理装置は、基本的構成は上記実施の形態１〜５の情報処理装置と全く同じであり、キーボード２を有する本体部１と、キーボード２のキートップ面に対して平行な方向にスライド移動させることにより、キーボード２のキートップ面を露出または遮蔽する蓋体部３０と、キーボード２のキートップ２３を上下に昇降させる昇降手段と、蓋体部３０のスライド移動運動を昇降手段へ伝達する伝達手段とからなる。そして、本実施の形態では、この蓋体部３０の表面に第２のキーボード２ａが設けられており、この第２のキーボード２ａのキートップ２３を上下に昇降させる第２の昇降手段と、この第２の昇降手段を操作するスイッチ部９４と、蓋体部３０のスライド移動運動を第２の昇降手段へ伝達する第２の伝達手段とを備えた構成となっている。この第２のキーボード２ａのキー構造（第２の昇降手段）は、図５に示したキー構造と同じである。また、蓋体部３０とキー本体部４との間に設けられたストッパの構造および、蓋体部３０を完全に開いた状態でロックするためのロック機構部（維持手段）の構造も、図４に示した構造と同じである。
【０１４１】
本実施の形態６の第２の伝達手段は、キー本体部４に固定され、上方に突出して設けられた移動ピン８９と、蓋体部３０の内部天面側に設けられた中間シート２２を摺動（スライド）させる摺動機構部とからなる。
【０１４２】
具体的には、この摺動機構部は、中間シート２２の端部から突出して設けられた第２の係合レバー９１と、この第２の係合レバー９１をＢ方向に付勢する付勢手段である第２のスプリングバネ９２と、第２の係合レバー９１のＢ方向への移動を規制する規制手段である第２のストッパ９３と、第２の係合レバー９１の先端部に設けられたスイッチ部９４とからなる。
【０１４３】
ここで、図２６ないし図２８に示したＡ方向およびＢ方向と、図５中に示したＡ方向およびＢ方向とは、同じ方向を示している。つまり、第２の係合レバー９１は、中間シート２２がスライド移動するＡ方向およびＢ方向に対して直交する方向に突出形成されている。
【０１４４】
また、キー本体部４側に設けられた第２の移動ピン８９と、蓋体部３０側に設けられた第２の係合レバー９１との位置関係については、蓋体部３０を図中Ｂ方向にスライド移動させて蓋体部３０を開いたとき、第２の移動ピン８９が、第２の係合レバー９１に当接するように配置されている。
【０１４５】
また、第２の移動ピン８９と第２の係合レバー９１との距離関係については、次のようになっている。
【０１４６】
すなわち、図２７は、蓋体部３０をＢ方向にスライド移動させて、キーボード２のキートップ２３が露出するまで開いた状態（第１の開位置）を示しており、この状態で第２の移動ピン８９が第２の係合レバー９１に当接するようになっている。この第１の開位置は、蓋体部３０が完全に開いた状態（図２８に示す状態）を第２の開位置とすると、その一歩手前の状態である。すなわち、本実施の形態６での第１の開位置および第２の開位置は、上記実施の形態１〜５で説明した第１の開位置および第２の開位置と同じ位置である。
【０１４７】
また、第２の係合レバー９１の先端部は、蓋体部３０の一方の側面３１から外部に突出しており、この突出先端部にスイッチ部（つまみ）９４が設けられている。第２の係合レバー９１は、Ａ方向およびＢ方向にスライド移動するため、蓋体部３０の側面３１には、このスライド方向に一定の長さを有する長孔３１ａが形成されており、第２の係合レバー９１は、この長孔３１ａを通って外部に突出している。
【０１４８】
また、この長孔３１ａの両端部には、外方に向かって山型状に突出したロック部３１ｂ，３１ｂが設けられており、これに対向するように、長尺状に形成されたスイッチ部９４の裏面側に、三角形状の凹部９４ｂ，９４ｂが形成されている。
【０１４９】
そして、第２の係合レバー９１が第２のスプリングバネ９２に引き寄せられて第２のストッパ９３に当接している状態では、スイッチ部９４に形成された凹部９４ｂ，９４ｂと蓋体部３０に形成されたロック部３１ｂ，３１ｂとはずれた位置関係となっており、スイッチ部９４の裏面側がロック部３１ｂ，３１ｂに乗り上げた状態となっている（図２６、図２７に示す状態）。
【０１５０】
この状態から、第２の係合レバー９１を第２のスプリングバネ９２の弾性収縮力に抗してＡ方向に一定距離スライドさせると、スイッチ部９４に形成された凹部９４ｂ，９４ｂが蓋体部３０に形成されたロック部３１ｂ，３１ｂに嵌まり込んでロックされ、第２の係合レバー９１はその位置でロックされることになる（図２８に示す状態）。このロック状態は、ユーザがスイッチ部９４をＢ方向に操作して強制的に解除するまで、維持される。なお、ロック部３１ｂ，３１ｂは、前記ロックバネ１０ａ，１０ｂと同様、棒状のバネ体を屈曲することによって形成されたものであってもよい。
【０１５１】
次に、上記構成の伝達手段によって、蓋体部３０の開閉動作（スライド動作）が、中間シート２２のスライド動作に変換される様子を具体的に説明する。
【０１５２】
蓋体部３０を完全に閉じている状態（図２６に示す状態）から、蓋体部３０を図中Ｂ方向にスライド移動させ、キーボード２のキートップ２３が露出する第１の開位置まで移動（図２７に示す状態）させると、第２の移動ピン８９が第２の係合レバー９１に当接する。すなわち、蓋体部３０が完全に閉じている状態から第１の開位置まで開く方向にスライド移動させても、第２の係合レバー９１はスライドせず、これに連結されている中間シート２２もスライドしないので、キートップ２３は図５（ｂ）に示す沈み込んだ状態となっている。
【０１５３】
そして、蓋体部３０を第１の開位置から第２の開位置までさらにＢ方向にスライド移動させると、図２８に示すように、第２の移動ピン８９が第２の係合レバー９１をＡ方向に押し込んでスライドさせることにより、中間シート２２がＡ方向にスライドする。その結果、キートップ２３は、図５（ａ）に示すように立ち上がり、キーとしての使用が可能となる。このとき、スイッチ部９４に形成された凹部９４ｂ，９４ｂが蓋体部３０に形成されたロック部３１ｂ，３１ｂに嵌まり込んでロックされ、第２の係合レバー９１はその位置でロックされる。
【０１５４】
またこのとき、図４に示したように、係止ピン３５ａ，３５ｂがストッパ９ａ，９ｂに当接して、蓋体部３０がそれ以上開かないように規制するとともに、ロックバネ１０ａ，１０ｂの係合凸部１０ａ２１，１０ｂ２１が、蓋体部３０の凹部３６ａ，３６ｂに嵌まり込んで、蓋体部３０をその位置にロックする。
【０１５５】
一方、蓋体部３０を、図２８に示す第２の開位置から図２７に示す第１の開位置までＡ方向にスライド移動させると、第２の移動ピン８９がＢ方向へ移動する（実質的には、キー本体部４に設けられているので移動しないが、蓋体部３０との関係で相対的にＢ方向へ移動する）。これにより、第２の移動ピン８９が第２の係合レバー９１から離れるのであるが、本実施の形態６では、スイッチ部９４に形成された凹部９４ｂ，９４ｂが蓋体部３０に形成されたロック部３１ｂ，３１ｂに嵌まり込んでロックされているので、第２の係合レバー９１は、第２のスプリングバネ９２の付勢力（収縮力）に抗してその位置を維持する。すなわち、蓋体部３０を完全に閉じても、第２のキーボード２ａは使用可能な状態を維持することになる。
【０１５６】
この後、ユーザが、スイッチ部９４をＢ方向に操作してロック状態を強制的に解除すると、第２の係合レバー９１が第２のスプリングバネ９２に引き寄せられてＢ方向にスライド移動し、中間シート２２も同じくＢ方向にスライド移動する。その結果、第２のキーボード２ａのキートップ２３は、図５（ｂ）に示すように沈み込む。
【０１５７】
このとき、一方のロックバネ１０ｂの係合凸部１０ｂ２１が、蓋体部３０の一方の内側面３２に設けられた凹部３７に嵌まり込んで、蓋体部３０を閉じた位置でロックする。このときのロックは、蓋体部３０が不測に開かないようにするためのロックであり、ユーザが蓋体部３０を持って開く方向にスライドさせるときには、わずかの力でこのロック状態が外れるようになっている。
【０１５８】
なお、上記の動作説明は、蓋体部３０の開閉動作に連動して第２のキーボードのキートップ２３がポップアップする構成として説明しているが、蓋体部３０が閉じた状態であっても、スイッチ部９４をＡ方向に操作するだけで第２のキーボード２ａのキートップ２３を立ち上がらせ、キーとして使用可能な状態とすることができる。
【０１５９】
なお、上記伝達手段を実施の形態３および実施の形態４で示した構成に変更し、第２のスプリングバネ９２、ロック部３１ｂ、および凹部９４ｂを除くことにより、蓋体部３０を第２の開位置から第１の開位置までスライド移動させることに連動して、第２のキーボード２ａのキートップ２３を沈み込ませるようにすることもできる。
【０１６０】
［実施の形態７］
図２９ないし図３１は、本実施の形態７の情報処理装置の平面図であり、図２９は蓋体部と本体部とを分離した状態、図３０は蓋体部を完全に閉じた状態、図３１は蓋体部を第２の開位置まで完全に開いた状態を示しているが、図３０および図３１はいずれも主として伝達手段の構造が分かるように内部を透視した状態で図示している。
【０１６１】
本実施の形態７では、表示部３を本体部１に設けるのではなく、蓋体部３０に設けた構成としたものであり、その他の構成は上記実施の形態１〜５のいずれかと同じである。図３０および図３１には、このうち実施の形態１に対応した伝達手段の構成を一例として示している。なお、実施の形態７の詳細な説明は省略する。
【０１６２】
また、図３２は、実施の形態１〜実施の形態７における蓋体部３０の開口縁部の形状を示している。すなわち、蓋体部３０の天面４０の開口縁部をテーパ面４０ａに形成する一方、キーボード２の各キートップ２３についても、その各縁部をテーパ面２３ｃに形成している。
【０１６３】
すなわち、前述したように、蓋体部３０の内部の天面４０の高さは、キートップ２３が沈み込んだ状態（図５（ｂ）に示す状態）のとき、そのキートップ面との間にほとんど隙間が無いように設計されている。逆に言えば、蓋体部３０の内部の天面４０の高さは、キートップ２３が立ち上がった状態（図５（ａ）に示す状態）のときには、図３２に示すように、キートップ２３に接触する高さとなっている。
【０１６４】
そのため、蓋体部３０を閉じるとき、伝達手段に不具合が生じてキートップ２３が沈み込まなかった場合には、蓋体部３０の天面４０とキートップ２３とがぶつかって、キートップ２３が破壊されるといった不具合が発生する。
【０１６５】
そこで、図３２に示すように、蓋体部３０の天面４０の開口縁部をテーパ面４０ａとし、キーボード２の各キートップ２３各縁部もテーパ面２３ｃとしておけば、万一伝達手段に不具合が生じてキートップ２３が沈み込まなくても、蓋体部３０のテーパ面４０ａがキートップ２３のテーパ面２３ｃに摺接してキートップ２３が強制的に下方に押さえ込まれるため、キートップ２３が破壊される危険性を回避することができる。
【０１６６】
なお、上記各実施の形態１〜５では、蓋体部３０を本体部１に対して長手方向にスライド移動させる構成としているが、例えば図３３および図３４に示すように、蓋体部１００を左右に２分割して開く構成としてもよい。この場合には、一方の蓋体部（例えば１００ａ）とキー本体部４との間に、上記各実施の形態１〜５のいずれかの伝達手段の構成を採用すればよい。図３３および図３４には、このうち実施の形態２に対応した伝達手段の構成を一例として示している。
【０１６７】
【発明の効果】
本発明のポップアップキーボードを有する情報処理装置によれば、蓋体部を閉じているときには、キーボードのキートップを降下させておくことができるので、この状態で蓋体部の裏面を、降下しているキートップ面に接触するぐらいまで低くすることができる。これにより、全体として装置の薄型化が可能となる。また、蓋体部を開いたときには、キーボードのキートップが上昇するため、キーストロークを十分に確保することができ、操作性が向上する。
【０１６８】
また、本発明のポップアップキーボードを有する情報処理装置によれば、蓋体部を開いてキートップ面が完全に露出するまでは、キートップが上昇することがないので、蓋体部の開閉操作時にキートップ面が蓋体部の裏面に接触するといった不具合は発生しない。
【０１６９】
また、本発明のポップアップキーボードを有する情報処理装置によれば、伝達手段を、移動ピン、回動レバー、連係ピン、付勢手段であるスプリング、および規制手段であるストッパといった簡単な構成で実現することができる。
【０１７０】
また、本発明のポップアップキーボードを有する情報処理装置によれば、伝達手段を、移動ピン、係合レバー、付勢手段であるスプリング、および規制手段であるストッパといった簡単な構成で実現することができる。
【０１７１】
また、本発明のポップアップキーボードを有する情報処理装置によれば、蓋体部を完全に開いたとき、維持手段によってその位置が維持されるので、付勢手段であるスプリングの弾性力によって蓋体部が閉じる方向に動いてしまうといった不具合の発生を確実に防止することができる。
【０１７２】
また、本発明のポップアップキーボードを有する情報処理装置によれば、伝達手段を、磁着力を有する移動ピン、回動レバー、連係ピンと、規制手段であるストッパ、および磁着力を有するピン受け部といった簡単な構成で実現することができる。また、付勢手段が無いことから、蓋体部を完全に開いた位置で維持させるための維持手段も省略することが可能である。
【０１７３】
また、本発明のポップアップキーボードを有する情報処理装置によれば、伝達手段を、移動ピン、回動レバー、連係ピンと、規制手段であるストッパ、および移動ピンを強制嵌入する嵌入受け部といった簡単な構成で実現することができる。また、付勢手段が無いことから、蓋体部を完全に開いた位置で維持させるための維持手段も省略することが可能である。
【０１７４】
また、本発明のポップアップキーボードを有する情報処理装置によれば、伝達手段を、移動ピン、回動レバー、および連係ピンといった簡単な構成で実現することができる。また、付勢手段が無いことから、蓋体部を完全に開いた位置で維持させるための維持手段も省略することが可能である。
【０１７５】
また、本発明のポップアップキーボードを有する情報処理装置によれば、第２のキーボードが蓋体部の表面に設けられており、第２のキーボードのキートップを上下に昇降させる第２の昇降手段と、この第２の昇降手段を操作するスイッチ部とを備えた構成としている。これにより、蓋体部の表面に設けられた第２のキーボードのキートップを昇降動作させることができる。従って、使用しないときにはスイッチ部を操作してキートップを降下させて、装置の薄型化、意図しないキー入力の防止、および第２のキーボードのキートップの破損（外れ）の防止を図ることができ、使用するときにはスイッチ部を操作してキートップを上昇させることができる。
【０１７６】
また、本発明のポップアップキーボードを有する情報処理装置によれば、蓋体部のスライド移動運動を第２の昇降手段へ伝達する第２の伝達手段をさらに備えた構成としている。これにより、蓋体部を開くことにより、本体部側に設けられているキーボードのキートップと、蓋体部の表面に設けられている第２のキーボードのキートップとが連動して上昇し、同時に使用可能状態となる。また、蓋体部を閉じたときには、キー本体部に設けられたキーボードのキートップが降下し、使用不可能な状態とすることができる。また、蓋体部を閉じた状態でスイッチ部を操作することにより、蓋体部の第２のキーボードのキートップが上昇して使用可能状態とすることができる。
【０１７７】
また、本発明のポップアップキーボードを有する情報処理装置によれば、蓋体部を開くことにより、本体部側に設けられているキーボードのキートップと、蓋体部の表面に設けられている第２のキーボードのキートップとが完全に連動して上昇し、同時に使用可能状態とすることができる。
【０１７８】
また、本発明のポップアップキーボードを有する情報処理装置によれば、第２の伝達手段を、第２の移動ピン、第２の係合レバー、第２の付勢手段、および第２の規制手段といった簡単な構成で実現することができる。
【図面の簡単な説明】
【図１】実施の形態１の情報処理装置の外観図であり、蓋体部を閉じた状態を示している。
【図２】実施の形態１の情報処理装置の外観図であり、蓋体部を開いた状態を示している。
【図３】実施の形態１の情報処理装置の外観図であり、蓋体部を本体部から取り外した状態を示している。
【図４】蓋体部とキー本体部との間に設けられたストッパの構造および、蓋体部を完全に開いた状態でロックするためのロック機構部（維持手段）の構造の一例を示す概略図である。
【図５】キー構造を模式的に示す正面図であり、（ａ）は蓋体部をスライド移動させて開くことによりキーが上昇した（立ち上がった）状態、（ｂ）は蓋体部をスライド移動させて閉じることによりキーが降下した（沈み込んだ）状態を示している。
【図６】実施の形態１の情報処理装置の平面図であり、主として伝達手段の構造が分かるように内部を透視した状態の図である。
【図７】実施の形態１の情報処理装置の平面図であり、主として伝達手段の構造が分かるように内部を透視した状態の図である。
【図８】実施の形態１の情報処理装置の平面図であり、主として伝達手段の構造が分かるように内部を透視した状態の図である。
【図９】図６に示す情報処理装置の要部を断面で示す概略側面図である。
【図１０】図７に示す情報処理装置の要部を断面で示す概略側面図である。
【図１１】実施の形態１の伝達手段部分の拡大図である。
【図１２】実施の形態２の情報処理装置の平面図であり、主として伝達手段の構造が分かるように内部を透視した状態の図である。
【図１３】実施の形態２の情報処理装置の平面図であり、主として伝達手段の構造が分かるように内部を透視した図である。
【図１４】実施の形態２の情報処理装置の平面図であり、主として伝達手段の構造が分かるように内部を透視した状態の図である。
【図１５】図１２に示す情報処理装置の要部を断面で示す概略側面図である。
【図１６】図１４に示す情報処理装置の要部を断面で示す概略側面図である。
【図１７】実施の形態３の情報処理装置の特徴部分である伝達手段の構成を示す説明図である。
【図１８】実施の形態３の情報処理装置の特徴部分である伝達手段の構成を示す説明図である。
【図１９】実施の形態３の情報処理装置の特徴部分である伝達手段の構成を示す説明図である。
【図２０】実施の形態４の情報処理装置の特徴部分である伝達手段の構成を示す説明図である。
【図２１】実施の形態４の情報処理装置の特徴部分である伝達手段の構成を示す説明図である。
【図２２】実施の形態４の情報処理装置の特徴部分である伝達手段の構成を示す説明図である。
【図２３】実施の形態５の情報処理装置の特徴部分である伝達手段の構成を示す説明図である。
【図２４】実施の形態５の情報処理装置の特徴部分である伝達手段の構成を示す説明図である。
【図２５】実施の形態５の情報処理装置の特徴部分である伝達手段の構成を示す説明図である。
【図２６】実施の形態６の情報処理装置の平面図であり、主として伝達手段の構造が分かるように内部を透視した状態の図である。
【図２７】実施の形態６の情報処理装置の平面図であり、主として伝達手段の構造が分かるように内部を透視した状態の図である。
【図２８】実施の形態６の情報処理装置の平面図であり、主として伝達手段の構造が分かるように内部を透視した状態の図である。
【図２９】本実施の形態７の情報処理装置の平面図であり、蓋体部と本体部とを分離した状態を示している。
【図３０】本実施の形態７の情報処理装置の平面図であり、主として伝達手段の構造が分かるように内部を透視した状態の図である。
【図３１】本実施の形態７の情報処理装置の平面図であり、主として伝達手段の構造が分かるように内部を透視した状態の図である。
【図３２】蓋体部３０の天面の開口縁部とキートップとの位置関係を示す説明図である。
【図３３】蓋体部を左右に２分割して開く構成とした実施の形態を示す説明図である。
【図３４】蓋体部を左右に２分割して開く構成とした実施の形態を示す説明図である。
【符号の説明】
１  本体部
２  キーボード
２ａ  第２のキーボード
３  表示部
４  キー本体部
５，６  外側面
７，８  溝部
９ａ，９ｂ  ストッパ
１０ａ，１０ｂ  ロックバネ
１０ａ２１，１０ｂ２１  係合凸部
２１  キーベース
２２  中間シート
２３  キートップ
３０  蓋体部
３１，３２  内側面
３３，３４  レール部材
３５ａ，３５ｂ  係止ピン
３６ａ，３６ｂ  凹部
３７  第２の凹部
３９，４９，５９，６９，７９，８９  移動ピン
４１，６１，７１，８１  回動レバー
４２，６２，７２，８２  連係ピン
４３，５２，９２  スプリングバネ
４４，５３，６４，７４，９３  ストッパ
４５，６５，７５，８５  支持ピン
５１，９１  係合レバー
【図１】
0004209095.tif 000002
【図２】
0004209095.tif 000003
【図３】
0004209095.tif 000004
【図４】
0004209095.tif 000005
【図５】
0004209095.tif 000006
【図６】
0004209095.tif 000007
【図７】
0004209095.tif 000008
【図８】
0004209095.tif 000009
【図９】
0004209095.tif 000010
【図１０】
0004209095.tif 000011
【図１１】
0004209095.tif 000012
【図１２】
0004209095.tif 000013
【図１３】
0004209095.tif 000014
【図１４】
0004209095.tif 000015
【図１５】
0004209095.tif 000016
【図１６】
0004209095.tif 000017
【図１７】
0004209095.tif 000018
【図１８】
0004209095.tif 000019
【図１９】
0004209095.tif 000020
【図２０】
0004209095.tif 000021
【図２１】
0004209095.tif 000022
【図２２】
0004209095.tif 000023
【図２３】
0004209095.tif 000024
【図２４】
0004209095.tif 000025
【図２５】
0004209095.tif 000026
【図２６】
0004209095.tif 000027
【図２７】
0004209095.tif 000028
【図２８】
0004209095.tif 000029
【図２９】
0004209095.tif 000030
【図３０】
0004209095.tif 000031
【図３１】
0004209095.tif 000032
【図３２】
0004209095.tif 000033
【図３３】
0004209095.tif 000034
【図３４】
0004209095.tif 000035